(57)【要約】【課題】使用時の液体吐出性に優れ、筆跡途切れ等を生じるおそれがないと共に、非使用時の液体の漏出を防止できるローラー式塗布具を提供する。【解決手段】液体収容部２１とローラー収容部２２１とを有する本体２と、支持軸３１を有するローラー３と、吸液部材４とからなる。液体収容部２１の下方に液体導入孔２１１を備える。液体収容部２１とローラー収容部２２１との間に液体導入孔２１１を塞ぐように吸液部材４を設ける。ローラー３が上下動可能且つ回転可能となるようにローラー収容部２２１の側壁に支持軸３１を保持する。塗布時にローラー３が上方へ移動して吸液部材４の下端部に接触する。非塗布時にローラー３が下方へ移動して吸液部材４の下端部から離れる。【選択図】  図１
2005000734.tif 000002
【特許請求の範囲】
【請求項１】
液体収容部とローラー収容部とを有する本体と、支持軸を有するローラーと、吸液部材とからなり、前記液体収容部の下方に液体導入孔を備え、該液体収容部とローラー収容部との間に液体導入孔を塞ぐように吸液部材が設けられ、前記ローラーが上下動可能且つ回転可能となるように前記ローラー収容部の側壁に前記支持軸を保持し、塗布時に前記ローラーが上方へ移動して前記吸液部材の下端部に接触し、非塗布時に前記ローラーが下方へ移動して前記吸液部材の下端部から離れることを特徴とするローラー式塗布具。
【請求項２】
前記吸液部材の下端部が凹部を有する請求項１記載のローラー式塗布具。
【請求項３】
前記ローラーの外面とローラー収容部との隙間に、前記ローラーと共に上下動可能な保護カバーを設けてなる請求項１又は２に記載のローラー式塗布具。
【発明の詳細な説明】
【０００１】
【発明の属する技術分野】
本発明は、先端塗布部としてローラーを備えた塗布具に関する。更に詳細には、非塗布時における液体の漏出等の問題を解消するローラー式塗布具に関する。
【０００２】
【従来の技術】
従来より、インキを直接内蔵した軸筒の先端開口部に、多孔質部材を介して転写用のローラーを備えた塗布具が開示されている（特許文献１参照）。
【０００３】
【特許文献１】
実開昭６３−８９９４号公報
【０００４】
【発明が解決しようとする課題】
前記特許文献１で開示される塗布具は、使用時においては、被塗布物にローラーを当接し回転させることにより、軸筒内部のインキがローラー印面を介して筆跡途切れを生じることなく転写できるものであるが、非使用時においても軸筒内部のインキが多孔質部材及びローラーに供給され続けるため、インキの粘度が低い場合にインキの漏出が生じることがあった。
また、前記従来の塗布具は、多孔質部材とローラーが常に接触しており、軸筒内のインキ消費に伴い軸筒内に空気を取り込む孔（軸筒先端開口部）からローラー突出部先端までの距離が長いため、非使用時にローラー部下向き状態で保持した場合、インキの漏出が生じることがあった。
【０００５】
本発明は、前記従来の問題点を解決するものであって、使用時の液体吐出性に優れ、筆跡途切れ等を生じるおそれがないと共に、非使用時における液体の漏出等の不具合を生じることのないローラー式塗布具を提供するものである。
尚、本発明において、「上」とは液体収容部側を指し、「下」とはローラー側を指す。
【０００６】
【課題を解決するための手段】
本発明のローラー式塗布具１は、液体収容部２１とローラー収容部２２１とを有する本体２と、支持軸３１を有するローラー３と、吸液部材４とからなり、前記液体収容部２１の下方に液体導入孔２１１を備え、該液体収容部２１とローラー収容部２２１との間に液体導入孔２１１を塞ぐように吸液部材４が設けられ、前記ローラー３が上下動可能且つ回転可能となるように前記ローラー収容部２２１の側壁に前記支持軸３１を保持し、塗布時に前記ローラー３が上方へ移動して前記吸液部材４の下端部に接触し、非塗布時に前記ローラー３が下方へ移動して前記吸液部材４の下端部から離れること（請求項１）を要件とする。更に、前記吸液部材４の下端部が凹部４２を有すること（請求項２）、前記ローラー３の外面とローラー収容部２２１との隙間に、前記ローラー３と共に上下動可能な保護カバー５を設けてなること（請求項３）を要件とする。
【０００７】
前記請求項１記載のローラー式塗布具１はローラー３側を下向きで使用するものであり、使用時にはローラー３と吸液部材４が接触し、液体収容部２１に収容する液体を吸液部材４を介してローラー印面３２に供給することで筆跡途切れを生じることなく塗布できると共に、非使用時にはローラー３と吸液部材４が離れた状態で維持されることにより、液体の漏出を防止できるものである。
【０００８】
前記ローラー式塗布具１の本体２は、下方に液体導入孔２１１を備える液体収容部２１と、ローラー３を上下動可能且つ回転可能に保持するローラー収容部２２１とから少なくともなり、吸液部材４の上方が液体導入孔２１１を覆い、且つ下方が使用時にローラー印面３２と接触するような位置に吸液部材４を設けるものである。水やインキ等の液体を内蔵する液体収容部２１は、ローラー式塗布具１を使用する際に把持する箇所に設けることが好ましく、把持し易い形状に構成される。また、前記液体収容部２１を本体から着脱可能に構成したり、液体補充用の孔部や蓋体を設けることで、液体収容部２１内への液体補充を容易にすることも可能である。前記ローラー収容部２２１は、本体２の下方にローラー３の幅より広く設けられ、ローラー３が下方向に移動した際にもローラー３の下端部を覆わない形状であると共に、ローラー３の支持軸３１を上下動可能且つ回転可能に保持できる形状の側壁を有している。尚、本体２には、必要に応じて孔部を設けたり紐を取り付けて、吊り下げ可能にすることもできる。
前記ローラー３は、支持軸３１を備え、外周面を印面３２とする円柱状物であり、樹脂成形物やゴム、エラストマー、金属等から形成される。特に、樹脂成形物や金属等で形成される場合且つ収容する液体として水等の低粘度のものを用いる場合、外周面の印面３２にフェルト等の多孔質部材で構成される像を設けて塗布性を向上させることが好ましい。
前記吸液部材４は、液体収容部２１内に収容される液体を保持し、ローラー３に供給するためのものであり、上方が前記液体導入孔２１１を覆うように設けられ、且つ下方が塗布具１の使用時にローラー印面３２と接触するように設けられる。前記吸液部材４としては、液体を内部に保持することができる多孔質部材が用いられ、具体的には、フェルト、不織布、編布等の繊維体、スポンジ等の発泡体が挙げられる。
【０００９】
前記ローラー式塗布具１は、使用時に被塗布物にローラー印面３２を押し当てた際、前記ローラー３が上方に移動し、ローラー印面３２と吸液部材４の下端部が接触状態となり、上方の液体収容部２１から液体が吸液部材４を介してローラー印面３２に供給される。これによりローラー印面３２への液体供給が継続的に行われ、ローラー３を回転塗布してもカスレや線飛び等の筆跡途切れを生じることなく塗布できる。
また、非使用時においては、被塗布物からローラー印面３２を離すことで、前記ローラー３がその自重により下方に移動し、ローラー印面３２が吸液部材４の下端部と非接触状態となり、液体収容部２１からローラー印面３２への液体供給が停止する。この時、液体導入孔２１１から吸液部材４の下端部までの距離（液体のヘッド圧）が、使用時における液体導入孔２１１からローラー３の下端部（被塗布物との接面）までの距離（液体のヘッド圧）と比較して短くなるので、本体２をローラー３下向き状態で長時間保持しても、液体の漏出を抑えることができる。
【００１０】
前記請求項２記載のローラー式塗布具１は、前記吸液部材４の下端部に凹部４２を形成することにより、使用時におけるローラー３との接触抵抗を軽減し、ローラー３を滑らかに回転できるようになる。また、ローラー印面３２に形成される像に合わせて凹部４２を増やしたり、該像に接触する位置に凸部４３を設けることにより、液体を供給する部分となるローラー印面３２との接触面（凸部４３）が、像にのみ液体を供給するので、多量の液体により被塗布物に形成される印像６が潰れることなく、はっきりとした印像６が得られる。
【００１１】
前記請求項３記載のローラー式塗布具１は、ローラー３の外面とローラー収容部２２１との隙間に、前記ローラー３と共に上下動可能な保護カバー５を設けることにより、ローラー３の上下動によりローラー３とローラー収容部２２１との間に大きな隙間が生じることを防止するものである。これにより、ローラー３の上下方向の移動距離が長い場合においても、ローラー３のガタツキを抑えることができる。
【００１２】
【発明の実施の形態】
本発明の実施の形態を図面に基づき説明する。図１は本発明の一実施例における使用時の縦断面図である。図２は図１の非使用時の縦断面図である。図３は使用時の外観斜視図である。
【００１３】
前記ローラー式塗布具１は、下方に液体導入孔２１１を備えた中空状の液体収容部２１と、該液体収容部２１を液体導入孔側から接続する上方開口部２２２とローラー収容部２２１とを備えたホルダー２２とを本体２として有し、更に、誘導芯４１を保持するパッキング２３を前記上方開口部２２２に収容し、前記ホルダー２２内に収容される吸液部材４と、該吸液部材４の下端部と接触可能にローラー収容部２２１に設けられるローラー３と、該ローラー３とローラー収容部２２１との間に設けられる保護カバー５とから構成されている。
【００１４】
前記液体収容部２１は可撓性を有する樹脂製容器であり、使用時に把持し易いように有底円筒状に成形されており、内部に液体（例えば水）を補充するために液体導入孔２１１から着脱可能にホルダー２２の上方開口部２２２に接続されている。
前記ホルダー２２は、ローラー収容部２２１となる下方開口部と上方開口部２２２とを有する樹脂成形物であり、上方開口部２２２には、誘導芯４１を保持し、液体の消費に伴い液体収容部２１内に空気を取り込む空気孔２３１を備えたパッキング２３が収容され、前記液体収容部２１とホルダー２２の間からの水漏れを防止できると共に、前記誘導芯４１により液体収容部２１から継続的に一定量の水を吸液部材４に供給できるようになっている。また、ローラー収容部２２１には、側壁内部に溝部を設け、該溝部に支持軸３１を係合させることにより、ローラー３が上下動可能且つ回転可能に支持されている。更に、前記ホルダー２２内には、突起２２３を設けることにより、吸液部材４が交換可能に取付けられている。
【００１５】
前記ローラー３は、支持軸３１と一体に成形され、外周面に溝部を有する樹脂製中空体であり、前記溝部により、印面３２となる格子模様に形成された板状フェルトがずれないように設けられている。また、前記支持軸３１をローラー収容部２２１に保持することで、ローラー３が上下動可能且つ回転可能に支持される。更に、前記ローラー３の外面とローラー収容部２２１との間に、前記支持軸３１にローラー３が回転可能となるように保護カバー５を設けることにより、ローラー３の上下動と共に保護カバー５が上下に移動するので、ローラー３の上下方向の移動距離が長い場合においても、ローラー３とローラー収容部２２１との間に大きな隙間を生じることがなく、ガタツキのない安定したローラー３の回転を得ることができる。
【００１６】
前記吸液部材４は薄板状フェルトからなり、上端部に繊維束からなる誘導芯４１が圧入され、下端部に凹部４２が形成されている。前記凹部４２を設けることで、使用時にローラー印面３２と接触する部分が減少するので、回転時の接触抵抗が減少し、滑らかに塗布できるものとなる。また、前記凹部４２を設けることにより得られる凸部４３を、ローラー３の外周面に連続して設けられる二本の長線部と接触するように設けることにより、短線部を含むローラー印面３２全体にバランス良く水が供給され、連続的な格子模様が印像６として得られる。更に、取付用の孔部４４を設けて、ホルダー２２に形成される突起２２３と着脱自在に取付けることにより、吸液部材４の磨耗時には容易に交換できると共に、使用時にローラー３の回転により外れることなく保持できるものとなる。
【００１７】
前記ローラー式塗布具１は、ローラー３側下向き状態において、液体収容部２１内の水が液体導入孔２１１から誘導芯４１を通じて吸液部材４にまで供給され、供給された水量に相当する空気が空気孔２３１から液体収容部２１内に取り込まれる。使用時には、被塗布物（例えば、低屈折率顔料をバインダー樹脂に分散状態に固着させた多孔質層を基材表面に設け、吸液状態と非吸液状態で透明性を異にする水変色性シート）にローラー印面３２を押し当てることにより、ローラー３及び保護カバー５が上方に移動し、ローラー印面３２が吸液部材下端部の凸部４３に接触する。この際、液体収容部２１内から吸液部材４に供給された水がローラー印面３２にまで供給されるので、ローラー３の回転により格子模様の印像６を水変色性シート表面に形成されると同時に、水変色性シートの多孔質層が透明化して基材表面の色が印像６として現出する。また、ローラー回転時には液体収容部２１内からローラー印面３２へ継続的に水が供給され続けるので、筆跡途切れ等することなく印像６（格子模様）を形成できる（図１、図３）。
【００１８】
非使用時には、被塗布物（水変色性シート）からローラー印面３２が上方に離れることで、ローラー３及び保護カバー５が下方に移動し、ローラー印面３２が吸液部材下端部の凸部４３から離れるので、ローラー印面３２への水の供給が停止する。この際、液体収容部２１内の水は吸液部材４に供給されたままであるが、使用時における空気孔２３１からローラー印面３２（被塗布物との当接面）までの距離に較べて、空気孔２３１から吸液質部材４の下端部までの距離が短くなるので、下向き状態で長時間保持しても漏出を生じることなく水を吸液部材４に保持できる（図２）。
【００１９】
【発明の効果】
本発明のローラー式塗布具は、請求項１により、使用時にはローラー印面への一定量の液体供給が継続的になされ、ローラーを回転塗布した際に筆跡途切れ等を生じることなく印像を形成することができる。また、非使用時には液体収容部からローラー印面への液体供給が停止すると共に、液体導入孔（空気孔）から吸液部材の下端部までの距離が、使用時における液体導入孔（空気孔）からローラー下端部までの距離と較べて短くなるので、液体の漏出をより有効に防止できる。
【００２０】
請求項２により、ローラーと吸液部材下端部との接触面が減少するので、接触抵抗が軽減され、ローラーを滑らかに回転できるようになる。また、ローラー印面に形成される像にのみ液体供給が可能となり、被塗布物に形成される印像が多量の液体供給により潰れることなく、はっきりとした印像を得ることができる。
【００２１】
請求項３により、ローラーの上下動における移動距離が長い場合であっても、ローラーとローラー収容部間に大きな隙間が生じてローラーがガタつくことを防止できる。
【図面の簡単な説明】
【図１】本発明のローラー式塗布具の一実施例を示す縦断面図である。
【図２】図１の実施例の非使用時の状態を示す縦断面図である。
【図３】本発明のローラー式塗布具の使用状態を示す斜視図ある。
【符号の説明】
１  ローラー式塗布具
２  本体
２１  液体収容部
２１１  液体導入孔
２２  ホルダー
２２１  ローラー収容部
２２２  上方開口部
２２３  突起
２３  パッキング
２３１  空気孔
３  ローラー
３１  支持軸
３２  ローラー印面
４  吸液部材
４１  誘導芯
４２  凹部
４３  凸部
４４  孔部
５  保護カバー
６  印像
【図１】
2005000734.tif 000003
【図２】
2005000734.tif 000004
【図３】
2005000734.tif 000005